(57)【要約】【課題】ユニット住宅の構造体に外壁材を取り付ける際に、作業効率を向上し得る外壁取付治具を提供する。【解決手段】本発明の外壁材取付治具１は、下部に複数のキャスタ１１が設けられた基台１０と、基台１０を昇降する昇降機構１２とを備えている。基台１０の上部には、構造体２の下端面に当接する第１、第２の構造体当接面１６Ａ、１６Ｂと、これらに対し外壁材２の下端面を基準高さＨ１に保持する外壁保持ブロック体１７とが設けられている。昇降機構１２は、床面４に対し上下動する作動ロッド１３を有し、作動ロッド１３の上移動により作動ロッド１３の下端面を床面４より高い位置に退避させ、作動ロッド１３の下移動により作動ロッド１３の下端面を床面４に当接させた状態で第１、第２の構造体当接面１６Ａ、１６Ｂを構造体２の下端面に密着させるように構成されている。【選択図】    図１
2004250869.tif 000002
【特許請求の範囲】
【請求項１】
ユニット住宅を構成する一の構造体に対し、外壁材を、その下端面が該構造体の下端面から所定の基準高さになるように保持しつつ該構造体の側壁面に取り付ける際に、床面から所定の設置高さに保持された該構造体と該床面との間に介在させて用いられる治具であって、
下部に複数の車輪が設けられた基台と、該基台を昇降する昇降機構とを備え、
前記基台の上部には、前記構造体の下端面に当接する構造体当接部と、該構造体当接部に対し前記外壁材の下端面を前記基準高さに保持する外壁保持部とが設けられており、
前記昇降機構は、前記床面に対し上下動する作動ロッドを有し、該作動ロッドの上移動により該作動ロッドの下端面を前記床面より高い位置に退避させ、該作動ロッドの下移動により該作動ロッドの下端面を前記床面に当接させた状態で前記構造体当接部を前記構造体の下端面に密着させるように構成されていることを特徴とする外壁材取付治具。
【請求項２】
前記構造体当接部は、前記構造体の前記設置高さに応じて、前記基台の上面に形成された第１の構造体当接面、又は該第１の構造体当接面に密着自在なブロック体の上面に形成された第２の構造体当接面の何れかに選択可能にされたものであることを特徴とする請求項１記載の外壁材取付治具。
【請求項３】
前記外壁保持部は、前記外壁材の前記基準高さに応じて異なる高さに形成された数種の外壁保持ブロック体からなり、それぞれが、前記第１の構造体当接面と同一面上に形成された第１の載置面又は前記第２の構造体当接面と同一面上に形成された第２の載置面の何れか一方又は双方に着脱自在に構成されていることを特徴とする請求項２記載の外壁材取付治具。
【請求項４】
前記基台は、前記第１の構造体当接面を上面に形成した前方ブロック部と、該前方ブロック部の両端から二股状に分岐し且つ前記第１の載置面を上面に形成した側方ブロック部とからコ字状に形成されており、
前記昇降機構は、前記作動ロッドを上下方向に案内する機構に組み込まれた操作ペダルを有し、該操作ペダルは、前記ブロック部の間における空隙部に配設されていることを特徴とする請求項２又は３の何れかに記載の外壁取付治具。
【発明の詳細な説明】
【０００１】
【発明の属する技術分野】
本発明は、ユニット住宅を構成する構成体に外壁材を取り付ける際に用いられる治具に関する。
【０００２】
【従来の技術】
近年、ユニット住宅の工法においては、ユニット住宅の構成単位をなすユニットを工場製造し、現場でそのユニットごとに据え付けるようにしている。
ユニットの製造段階では、土台、たて枠、梁材等の構造材から直方体枠状の構造体を組み立てた後、構造体を作業台に載置してその下端面を床面から浮かした状態にし、その構造体の側壁面に外壁材を取り付ける作業が行われる。
この際、外壁材の取付基準に基づき、外壁材の下端を構造体の下端面から一定の高さに保持する必要があり、また、その保持高さを外壁材の種類に応じて変える必要もある。
【０００３】
従来、構造体に墨出しを行うことにより、その墨出し位置を基準に外壁材を取り付けていたが、このような墨出し作業は、手間がかかる上に、誤差を含むため品質のばらつきを生じさせる一因になっていた。
そのため、ダイライトや胴縁のように比較的軽い外壁材の場合にあっては、一定の大きさの残り材を数種組み合わせることにより床面上に外壁材の保持高さを形成したり、あるいは、サイディングのように比較的重い外壁材の場合にあっては、ジャッキを用いて構造体の下端面に面材を押し付けてその面材上に一定の大きさの余り材を載置することにより外壁材の保持高さを形成している。
他方、ユニット住宅における外壁パネルを相互に取り付ける際に用いられるブラケットを容易に加工する技術が提案されている（特許文献１参照）。
【０００４】
【特許文献１】
特開２０００−３３６７６８号公報
【０００５】
【発明が解決しようとする課題】
しかしながら、上述のような従来の外壁材の取り付け作業においては、残り材をセットしたり、ジャッキアップするのに時間がかかるなど、作業効率を低下させる要因が幾つかあった。
また、外壁材を取り付ける際に残り材が不安定であるため外壁材が動くおそれがあり、作業者の安全性を確保する上で問題があった。
従って、本発明の目的は、ユニット住宅を製造する工場において構造体に外壁材を取り付ける際に、作業効率を向上し得ると共に、作業者の安全性を確保し得る外壁取付治具を提供することにある。
【０００６】
【課題を解決するための手段】
本発明は、ユニット住宅を構成する一の構造体に対し、外壁材を、その下端面が該構造体の下端面から所定の基準高さになるように保持しつつ該構造体の側壁面に取り付ける際に、床面から所定の設置高さに保持された該構造体と該床面との間に介在させて用いられる治具であって、下部に複数の車輪が設けられた基台と、該基台を昇降する昇降機構とを備え、前記基台の上部には、前記構造体の下端面に当接する構造体当接部と、該構造体当接部に対し前記外壁材の下端面を前記基準高さに保持する外壁保持部とが設けられており、前記昇降機構は、前記床面に対し上下動する作動ロッドを有し、該作動ロッドの上移動により該作動ロッドの下端面を前記床面より高い位置に退避させ、該作動ロッドの下移動により該作動ロッドの下端面を前記床面に当接させた状態で前記構造体当接部を前記構造体の下端面に密着させるように構成されていることを特徴とする外壁材取付治具を提供することにより前記目的を達成したものである。
【０００７】
本発明によれば、外壁保持部を外壁材の基準高さに対応させて数種用意し、その外壁保持部を、昇降機構により一動作で、構造体の下端面に対して位置決めしたため、作業効率を向上させることができると共に、その外壁保持部を、基台上に固定したため、外壁材を外壁保持部上で安定させ、作業者の安全性を確保することができる。
【０００８】
【発明の実施の形態】
以下、本発明の基礎上の空隙構造の好ましい一実施形態を図面を参照して説明する。
図１に示すように、本実施形態の外壁材取付治具１は、ユニット住宅を構成する一の構造体２に対し、外壁材３を、その下端面が構造体２の下端面から所定の基準高さＨ１になるように保持しつつ構造体２の側壁面に取り付ける際に、床面４から所定の設置高さＨ０に保持された構造体２と床面４との間に介在させて用いられる治具であって、下部に複数のキャスタ（車輪）１１が設けられた基台１０と、基台１０を昇降する昇降機構１２とを備えている。
基台１０の上部には、構造体２の下端面に当接する第１の構造体当接面（構造体当接部）１６Ａ又は第２の構造体当接面（構造体当接部）１６Ｂと、第１、第２の構造体当接面１６Ａ、１６Ｂに対し外壁材２の下端面を基準高さＨ１に保持する外壁保持ブロック体（外壁保持部）１７とが設けられている。
昇降機構１２は、床面４に対し上下動する作動ロッド１３を有し、作動ロッド１３の上移動により作動ロッド１３の下端面を床面４より高い位置に退避させ、作動ロッド１３の下移動により作動ロッド１３の下端面を床面４に当接させた状態で第１、第２の構造体当接面１６Ａ、１６Ｂを構造体２の下端面に密着させるように構成されている。
かかる外壁材取付治具１を詳細に述べる。
【０００９】
ユニット住宅用の構造体２は、土台２ａ、たて枠２ｂ、梁材（図示しない）等の構造材から直方体枠状に形成されている。構造体２には、例えば、１階の構造体２と、２階の構造体２等がある。構造体２は、作業台（図示しない）上に載置されており、床面４から設置高さＨ０に設定されている。
【００１０】
１階の構造体２の設置高さＨ０１は、３１３〜３１７ｍｍであり、２階の構造体２の設置高さＨ０２は、２０８〜２１２ｍｍであり、設置高さＨ０１が設置高さＨ０２より大きくなっている。
外壁材３は、その下端面が構造体２の下端面から基準高さＨ１を満たすように、構造体２の側壁面に取り付けられる。構造体２の下端面は、１階の構造体２の場合には、土台２ａの下端面であり、２階の構造体２の場合には、２階床材の下端面である。
【００１１】
外壁材３には、例えば、ダイライト、胴縁、サイディング等があり、外壁材３の種類によって基準高さＨ１が異なる。具体的には、ダイライトの場合には基準高さＨ１が５５ｍｍ、胴縁の場合には基準高さＨ１が１００ｍｍ、サイディングの場合には基準高さＨ１が７９ｍｍである。
【００１２】
上述のような構造体２及び外壁材３に対し、外壁材取付治具１が用いられる。図３は、基台１０の平面図を示している。
図３に示すように、この基台１０は、前方ブロック部１０ａと、この両端部分から直交方向に延在して二股状に分岐した側方ブロック部１０ｂとから、水平断面がコ字状に形成されている。
【００１３】
図２〜図４に示すように、基台１０の下面には、キャスタ１１が４個取り付けられている。キャスタ１１は、前方ブロック部１０ａの両端部分、側方ブロック部１０ｂ、１０ｂの後端部分に配置されている。
前方ブロック部１０ａの下面の中央部分には、昇降機構１２が取り付けられている。この昇降機構１２は、作動ロッド１３が滑り対偶をなすスライド機構と、操作ペダル１４ａを先端部にしたペダルリンク１４を含むリンク機構等とから構成されている。操作ペダル１４ａは、前方ブロック部１０ａから後方にはみ出て、側方ブロック部１０ｂ、１０ｂの間における空隙部に配置されている。
【００１４】
作動ロッド１３は、ペダルリンク１４とピン結合されており、ペダルリンク１４の揺動に伴い、一定のストローク長の範囲で床面４に対し上下動するようになっている。
ペダルリンク１４は、揺動範囲における下限位置でその動きが拘束されることにより、作動ロッド１３をその位置で保持し、また、解除ペダル（図示しない）の操作に伴い、その拘束が解除されるようになっている。
【００１５】
構造体当接部は、１階、２階の構造体２の設置高さＨ０１、Ｈ０２に応じて、第１、第２の構造体当接面１６Ａ、１６Ｂの何れかに選択されたものである。
第１の構造体当接面１６Ａは、２階の構造体２の下端面に当接する面であり、基台１０における前方ブロック部１０ａの上面にわたって形成されている（図３参照）。
第２の構造体当接面１６Ｂ、１６Ｂは、１階の構造体２の下端面に当接する面であり、双方の側方ブロック部１０ｂ、１０ｂに密着したブロック体１８、１８の上面の前方部に形成されている。
【００１６】
ブロック体１８は、その幅及び長さが側方ブロック部１０ｂと同一に設定され、その高さが、設置高さＨ０１、Ｈ０２の差、すなわち、構造材２における下端構成材の一辺の長さ（例えば１０５ｍｍ）に設定されている。ブロック体１８は、側方ブロック部１０ｂの上面に対し、ピンと穴との嵌合により着脱自在に構成されている。
【００１７】
外壁保持部は、外壁材３の基準高さＨ１に応じて異なる高さに形成された数種の外壁保持ブロック体１７からなる。外壁保持ブロック体１７は、それぞれ、その幅及び長さが側方ブロック部１０ｂ及びブロック体１８と同一に設定され、その高さが、外壁材３の種々の基準高さＨ１（５５ｍｍ、１００ｍｍ、７９ｍｍ等）と同一に設定されている。
外壁保持ブロック体１７は、同一大きさのものが一組として、基準高さＨ１ごとに用意されている。
【００１８】
外壁保持ブロック体１７は、２階の構造体２に用いられる場合にあっては、第１の載置面１５Ａ上に載置される（図３参照）。第１の載置面１５Ａは、側方ブロック部１０ｂの上面において、第１の構造体当接面１６Ａの前方部分と隣接する部分に形成されている。
【００１９】
外壁保持ブロック体１７は、１階の構造体２に用いられる場合にあっては、第２の載置面１５Ｂ上に載置される（図２参照）。第２の載置面１５Ｂは、ブロック体１８の上面において、第２の構造体当接面１６Ｂと隣接する部分に形成されている。
【００２０】
外壁保持ブロック体１７は、第１、第２の載置面１５Ａ、１５Ｂの双方に対し、ピンと穴との嵌合により着脱自在に構成されている。
なお、外壁保持ブロック体１７は、第１、第２の載置面１５Ａ、１５Ｂの何れか一方にのみ着脱自在とし、１階、２階の構造体２の何れか一方の専用品としてもよい。
【００２１】
次に、外壁材取付治具１と１階、２階の構造体２との位置関係を外壁取付治具１の使用態様と併せて説明する。
図１に示すように、キャスタ１１を含めた基台１０の床面４からの高さｈ０は、２階の構造体２の設置高さＨ０２より小さく設定されている。ブロック体１８の高さｈ１が、上述したように、「設置高さＨ０１−設置高さＨ０２」の値に設定されているため、基台１０上にあるブロック体１８の上面と１階の構造体２の下端面との間における空隙高さΔｈ（＝Ｈ０１−ｈ０―ｈ１）は、基台１０の上面と２階の構造体２の下端面との間における空隙高さΔｈ（＝Ｈ０２―ｈ１）と同一になる。
【００２２】
以上の点により、基台１０は、キャスタ１１の回転軸及び鉛直軸まわりの回転を伴って、２階の構造体２と床面４との間に自在に介在し、ブロック体１８を装着した場合には、１階の構造体２と床面４との間に自在に介在する。
この場合、１階、２階の構造体２の用途に分けずに説明すると、外壁材３の基準高さＨ１に対応した外壁保持ブロック体１７を、予め、載置面１５に装着しておき、外壁保持ブロック体１７を構造体２の下部に突き当てることにより、構造体当接面１６を構造体２の下端面の下方に配置する。
【００２３】
昇降機構１２における作動ロッド１３のストローク長ｓは、空隙高さΔｈより幾分大きめに設定されている。また、基台１０の高さｈ０は、前方側の値と後方側の値とで幾分異なり、前方側の値が小さめに設定されている。
以上の点により、昇降機構１２における操作ペダル１４ａを踏み込むことにより、作動ロッド１３が下移動し、作動ロッド１３は、その下端面が床面４に当接した状態で基台１０を突き上げる。
【００２４】
この場合、基台１０の前方側のキャスタ１１が床面４から若干浮いて、作動ロッド１３及び後方側のキャスタ１１、１１との３つの接触点で基台１０を支持し、床面４の傾斜や凹凸によっては、基台１０の後方側のキャスタ１１の何れか一方がさらに床面４から若干浮いて、作動ロッド１３及び残りのキャスタ１１との２つの接触点で基台１０を支持する。
３点支持又は２点支持の何れであっても、床面４の状態によらず、構造体当接面１６は、それぞれ、構造体２の下端面に密着する。
【００２５】
なお、構造体当接面１６と構造体２の下端面との密着性を高めるために、作動ロッド１３のストローク長ｓを、空隙高さΔｈに応じて大きめに設定したり、あるいは、外壁材３の重力に抗する程度のバネ定数を有するスプリングを昇降機構１２に組み付けることも可能である。
【００２６】
構造体当接面１６と構造体２の下端面との密着により、構造体当接面１６と同一面上にある載置面１５が、構造体２の下端面と同一面上になる。この載置面１５上にある外壁保持ブロック材１７の上面に、外壁材３を載置すれば、外壁材３の下端面が構造体２の下端面に対し基準高さＨ１に保持される。
【００２７】
この場合、外壁保持ブロック体１７が、基台１０に直接又はブロック体１８を介して固定された状態で、外壁材３の下端面を２カ所で支持しているため、外壁材３は、外壁保持ブロック体１７上で安定している。
外壁材３を構造体２に取り付けた後、昇降機構１２における解除ペダルの操作により、作動ロッド１３が上移動することに伴って、基台１０が下降して構造体当接面１６と構造体２の下端面との密着が解除される。
【００２８】
以上述べたように、本実施形態によれば、外壁保持ブロック体１７を外壁材３の基準高さＨ１に対応させて数種用意し、その外壁保持ブロック体１７を、昇降機構１２により一動作で、構造体２の下端面に対して位置決めしたため、作業効率を向上させることができる。
【００２９】
特に、作業効率の向上については、外壁材３の種類に応じて外壁材保持ブロック体１７を交換するだけでよい点、１階又は２階の構造体２に応じて基台１０にブロック体１８を着脱するだけでよい点、基台１０の下降により外壁材取付治具１が抜けなくなる事態を回避できる点、外壁材３を基台１０上に載置して構造体２まで運搬できる点等で有利である。
【００３０】
また、本実施形態によれば、外壁保持ブロック体１７を、基台１０上に直接又はブロック体１８を介して固定したため、外壁材３を外壁保持ブロック体１７上で安定させ、作業者の安全性を確保することができる。
【００３１】
特に、安全性の確保については、側方ブロック部１０ｂ、１０ｂの双方の支持により外壁材３の安定性を図った点や、操作ペダル１４ａの配置により作業者が姿勢を変えずに操作ペダル１４ａを踏める点で有利であり、後者は、作業効率の向上にも繋がる。
【００３２】
本発明は、上記実施形態に限られることなく、種々の変更等を行うことができる。
例えば、外壁保持ブロック体のうち最も高さの小さいものを、予め、基台の第１の載置面に固定しておき、この上面に基準高さの差に相当する厚さのスペーサを着脱させることもできる。この場合、ブロック体に、上記固定した外壁保持ブロック体と嵌合する切欠きを設け、そのブロック体を基台に着脱させることもできる。
【００３３】
また、外壁材の取り付け順に対応する外壁保持ブロック体を、それぞれ、予め、基台又はブロック体上に配列させておくこともできる。この場合、外壁保持ブロック体を一体的な段差形状の構成にしてもよい。
【００３４】
さらに、構造体の設置高さに変更が生じても、これに合わせた別のブロック体を用意すれば、外壁材取付治具の共通化を図ることができる。
【００３５】
さらにまた、基台、ブロック体、外壁保持ブロック体は、その材料について特に限定されるものでないが、構造材の残り材を利用すれば、廃棄物の削減等の観点で有利である。
【００３６】
【発明の効果】
本発明によれば、ユニット住宅を製造する工場において構造体に外壁材を取り付ける際に、作業効率を向上し得ると共に、作業者の安全性を確保し得る外壁取付治具を得ることができる。
【図面の簡単な説明】
【図１】本実施形態の外壁材取付治具の概略構成及び構造体との位置関係を示す右側面図である。
【図２】本実施形態の外壁材取付治具の概略構成を示す斜視図である。
【図３】本実施形態の基台の概略構成を示す平面図である。
【図４】本実施形態の外壁材取付治具の概略構成を示す背面図である。
【符号の説明】
２    構造体
３    外壁材
４    床面
１１    キャスタ（車輪）
１０    基台
１０ａ  前方ブロック部
１０ｂ  側方ブロック部
１２    昇降機構
１４ａ  操作ペダル
１５Ａ  第１の載置面
１５Ｂ  第２の載置面
１６Ａ  第１の構造体当接面（構造体当接部）
１６Ｂ  第２の構造体当接面（構造体当接部）
１７    外壁保持ブロック体（外壁保持部）
１８    ブロック体
Ｈ０  設置高さ
Ｈ１  基準高さ
【図１】
2004250869.tif 000003
【図２】
2004250869.tif 000004
【図３】
2004250869.tif 000005
【図４】
2004250869.tif 000006